(57)【要約】【課題】  本発明は魚釣用リールに関し、寸法誤差の影響を受けることなく、調節体のガタ付きをなくした魚釣用リールを提供することを目的とする。【解決手段】  請求項１に係る発明は、スプールの回転に制動力を付与する制動装置をリール本体に備え、リール本体に回転自在に支持した調節体の回転操作で前記制動装置の制動力を調節可能とした魚釣用リールに於て、前記調節体を、軸方向へ移動規制した状態でリール本体に回転自在且つ抜け止め支持すると共に、前記リール本体に、前記調節体を軸方向の一方側に付勢する付勢手段を設けたことを特徴とする。  そして、請求項２に係る発明は、請求項１に記載の魚釣用リールに於て、前記調節体と付勢手段との間に、発音用の係合部と、該係合部が係合する凹凸が周方向に形成された発音体を介在させたことを特徴とする。【選択図】    図１
2008295323.tif 000002
【特許請求の範囲】
【請求項１】
スプールの回転に制動力を付与する制動装置をリール本体に備え、リール本体に回転自在に支持した調節体の回転操作で前記制動装置の制動力を調節可能とした魚釣用リールに於て、
前記調節体を、軸方向へ移動規制した状態でリール本体に回転自在且つ抜け止め支持すると共に、
前記リール本体に、前記調節体を軸方向の一方側に付勢する付勢手段を設けたことを特徴とする魚釣用リール。
【請求項２】
前記調節体と付勢手段との間に、発音用の係合部と、該係合部が係合する凹凸が周方向に形成された発音体を介在させたことを特徴とする請求項１に記載の魚釣用リール。
【発明の詳細な説明】
【技術分野】
【０００１】
本発明は、釣糸が巻回されるスプールの回転に制動力を付与する制動装置（ドラグ装置）を備えた魚釣用リールに関する。
【背景技術】
【０００２】
特許文献１に開示されるように、従来、例えば魚釣用スピニングリールに於て、スプールの回転を制動する制動装置をリール本体に備え、リール本体の後部に回転自在に支持した調節体（ドラグノブ）の回転操作で、スプールに対する制動装置の制動力の強弱を調節できるようにしたものが知られている。
【０００３】
そして、図６に示すようにこの従来例は、調節体１とリール本体３との間隙に砂やゴミが付着することを防止するため、調節体１を、リール本体３に設けた筒状部５に抜止め部材７を介して回転自在且つ軸方向へ移動しない状態で抜け止めするもので、図示するように抜止め部材７は欠円リング状に形成されて弾性を有し、調節体１の前端に形成された係合溝９と、前記筒状部５の基部に形成された係止鍔１１に嵌着する係合凹溝１３が設けられている。
【特許文献１】実開平２−１４９６９号公報
【発明の開示】
【発明が解決しようとする課題】
【０００４】
而して、前記従来例によれば、調節体１とリール本体３（筒状部５の係止鍔１１）との間隙を抜止め部材７で覆った構造上、該間隙への砂やゴミの付着を防止することができる反面、調節体１をスムーズに回転操作ができるように支持する必要があること、そして、リール本体３，調節体１，抜止め部材７の３部材を係合させることから生じる寸法的累積誤差の影響により、軸方向に遊度が発生して調節体１がガタ付いてしまう虞があった。
【０００５】
本発明は斯かる実情に鑑み案出されたもので、寸法誤差の影響を受けることなく、調節体のガタ付きをなくした魚釣用リールを提供することを目的とする。
【課題を解決するための手段】
【０００６】
斯かる目的を達成するため、請求項１に係る発明は、スプールの回転に制動力を付与する制動装置をリール本体に備え、リール本体に回転自在に支持した調節体の回転操作で前記制動装置の制動力を調節可能とした魚釣用リールに於て、前記調節体を、軸方向へ移動規制した状態でリール本体に回転自在且つ抜け止め支持すると共に、前記リール本体に、前記調節体を軸方向の一方側に付勢する付勢手段を設けたことを特徴とする。
【０００７】
そして、請求項２に係る発明は、請求項１に記載の魚釣用リールに於て、前記調節体と付勢手段との間に、発音用の係合部と、該係合部が係合する凹凸が周方向に形成された発音体を介在させたことを特徴とする。
【発明の効果】
【０００８】
各請求項に係る発明によれば、寸法誤差の影響を受けることなく、調節体をリール本体にガタ付きなく回転自在に支持することが可能となって、不快感が解消できることとなった。
【０００９】
そして、請求項２に係る発明によれば、調節体の回転操作に節度を与えることができると共に、付勢手段を発音機構の一構成部材として有効活用を図ることができる利点を有する。
【発明を実施するための最良の形態】
【００１０】
以下、本発明の実施形態を図面に基づいて詳細に説明する。
【００１１】
図１は請求項１及び請求項２に係る発明を魚釣用スピニングリールに適用した一実施形態を示し、図中、２１は軸受２３を介してリール本体２５内に回転可能に軸支した中空なフライヤ軸で、その先端にロータ２７がナット２９で固定されている。また、フライヤ軸２１の後端のピニオン３１に、ハンドル３３のハンドル軸３５に固着した駆動歯車３７が噛合しており、ハンドル３３の回転操作が駆動歯車３７，ピニオン３１からフライヤ軸２１に伝達されて、ロータ２７が回転するようになっている。
【００１２】
そして、ロータ２７の基部には、一対の支持アーム３９がリール本体２５の前方へ一体に延設されており、両支持アーム３９の先端に、ベール支持部材４１が釣糸巻取り位置と釣糸放出位置とに反転自在に取り付けられている。そして、両ベール支持部材４１の間に半環状のベール４３が取り付き、一方のベール支持部材４１に、図示しない釣糸案内部（ラインローラ）が回転可能に装着されている。
【００１３】
また、図１中、４５はフライヤ軸２１を挿通してリール本体２５に取り付くスプール軸で、スプール軸４５は、その後端側に取り付く摺動子４７やトラバースカム軸４９，前記ピニオン３１に噛合する従動歯車５１等からなる周知のトラバース機構５３により、ハンドル３３の巻取り操作（ロータ２７の回転）に連動してリール本体２５の前後方向へ往復動するようになっている。そして、スプール軸４５の先端に、スプール５５が回り止め嵌合、または従来周知のフロントドラグ機構を介して摩擦結合されている。
【００１４】
一方、スプール軸４５の後端側には、従来周知のドラグ装置（リヤドラグ制動装置）５７が装着されており、リール本体２５の後部に取り付くドラグノブ（調節体）５９の回転操作で、ドラグ装置５７の制動力の強弱が調節できるようになっている。
【００１５】
即ち、図２に示すようにリール本体２５の後部に挿通孔６１が形成されると共に、該挿通孔６１を中心にリール本体２５の後部に円筒形状の筒状部６３が後方へ突設されており、筒状部６３の先端側内周に螺子部６５が刻設されている。そして、前記挿通孔６１に筒状の支持部材６７が回転可能に挿入され、該支持部材６７の外周に突設された環状フランジ６９が、挿通孔６１の開口周縁に設けた段部７１に当接して支持部材６７の位置決めが図られている。そして、支持部材６７の内周に、スプール軸４５の後端側に設けた外周断面非円形状の係合部７３が軸方向へ移動可能に回り止め嵌合されており、スプール軸４５は、該支持部材６７を介して挿通孔６１（リール本体２５）に回転可能に支持されている。
【００１６】
そして、前記ドラグノブ５９は、リール本体２５の後方側から順次大径に形成された略筒状をなし、内部に断面非円形状の凹部７５が形成され、その外周端部に環状の係止部７７が全周に亘って径方向外方へ突設されている。
【００１７】
また、図２及び図３に於て、７９はリール本体２５の後部にネジ止めされた環状の抜止め部材で、該抜止め部材７９をドラグノブ５９が挿通し、そして、抜止め部材７９の端部内周の径方向内方へ突設した環状の係止突部８１が、ドラグノブ５９の係止部７７を外方から覆ってこれに係止しており、ドラグノブ５９は、この抜止め部材７９の係止突部８１によってリール本体２５に回転自在且つ抜け止め支持されている。そして、ドラグノブ５９の凹部７５内に、軸方向のみ移動可能な押圧体８３が嵌着されており、該押圧体８３はその一端側に設けた大径部８５の外周が前記螺子部６５に螺着している。
【００１８】
一方、前記挿通孔６１からリール本体２５の後方へ突出する支持部材６７の後端側外周は断面非円形状の係合部８７とされ、該係合部８７と、前記筒状部６３の内周に設けた係止溝８９に、ドラグ装置５７の従来周知のワッシャ群９１が係止している。そして、前記押圧体８３とワッシャ群９１との間にコイルバネ９３がスプール軸４５を中心に巻装されており、ドラグノブ５９の回転操作で押圧体８３が軸方向（リール本体２５の前後方向）へ移動するに従い、ドラグ装置５７のワッシャ群９１に加わるコイルバネ９３のバネ力が調節されてワッシャ群９１を押圧し、支持部材６７、つまり、一体回転するスプール軸４５（スプール５５）の回転方向に対するドラグ装置５７の制動力の強弱が調節できるようになっている。
【００１９】
このように、ドラグノブ５９は抜止め部材７９によってリール本体２５に回転自在且つ抜け止め支持されているが、更に本実施形態は、図２及び図３に示すようにドラグノブ５９の軸方向のガタ付きを防止するため、ドラグノブ５９とリール本体２５の後部との間に、ドラグノブ５９をリール本体２５の後方へ付勢するコイルバネ（付勢手段）９５を、スプール軸４５を中心に前記筒状部６３の外周から若干離間させた位置に巻装しており、該コイルバネ９５のバネ力によってドラグノブ５９の係止部７７が抜止め部材７９の係止突部８１に常時圧接することで、ドラグノブ５９の軸方向のガタ付きが防止されている。
【００２０】
また、図示するようにドラグノブ５９の係止部７７側端部に、クリック機構９７の１個のクリック体（ピン状係合部）９９が筒状部６３に沿って挿着されると共に、該クリック体９９に対応して周方向に複数の凹凸１０１が設けられたリング状の発音体１０３が、筒状部６３の外周に軸方向へ移動可能に回り止め嵌合されており、これら（クリック体９９と発音体１０３）は前記コイルバネ９５とドラグノブ５９の間に配置され、そして、ドラグノブ５９をリール本体２５の後方へ付勢するコイルバネ９５のバネ力で、発音体１０３はクリック体９９の先端に常時押圧付勢されている。そして、ドラグ装置５７の制動力を調節するためドラグノブ５９を回転操作すると、クリック体９９が発音体１０３の凹凸１０１を乗り越えてクリック音が発生すると共に、釣人にクリック体９９が凹凸１０１を乗り越える際の軽い衝撃を感じさせて、ドラグノブ５９の回転操作に節度を与えるようになっている。
【００２１】
本実施形態に係る魚釣用スピニングリール１０５はこのように構成されているから、従来と同様、実釣に当たりベール４３を釣糸放出位置へ倒して釣竿を振り下ろせば、スプール５５に巻回された釣糸がスパイラル状に解かれて前方へ繰り出され、ハンドル３３の巻取り操作に伴いベール４３を釣糸巻取り位置へ反転させれば、釣糸がベール４３から釣糸案内部に案内されて、ロータ２７の回転に連動して前後方向へ往復動するスプール５５に釣糸が巻回される。
【００２２】
そして、巻き取り操作時に魚の強い引きが掛かると、スプール５５がドラグ装置５７の制動力に抗して若干回転するが、既述したようにドラグノブ５９を回転操作すると、押圧体８３が軸方向へ移動してドラグ装置５７のワッシャ群９１に加わるコイルバネ９３のバネ力が調節され、スプール軸４５（スプール５５）に対するドラグ装置５７の制動力が調節される。そして、ドラグノブ５９の回転操作に伴い、クリック機構９７からクリック音が発生し、また、クリック体９９が凹凸１０１を乗り越える際の軽い衝撃を釣人に感じさせて、ドラグノブ５９の回転操作に節度を与える。
【００２３】
また、抜止め部材７９によってリール本体２５に回転自在且つ抜け止め支持されたドラグノブ５９は、コイルバネ９５のバネ力で係止部７７が抜止め部材７９の係止突部８１に常時圧接されて、軸方向のガタ付きが防止される。
【００２４】
このように本実施形態は、抜止め部材７９によってリール本体２５に回転自在且つ抜け止め支持されたドラグノブ５９を、コイルバネ９５のバネ力で抜止め部材７９の係止突部８１に常時付勢する構造としたので、寸法誤差の影響を受けることなく、ドラグノブ５９をリール本体２５にガタ付きなく回転自在に支持することが可能となって、不快感が解消できることとなった。
【００２５】
また、既述したようにドラグノブ５９を回転操作すると、クリック機構９７からクリック音が発生し、また、クリック体９９が凹凸１０１を乗り越える際の軽い衝撃を釣人に感じさせるため、ドラグノブ５９の回転操作に節度を与えることができると共に、コイルバネ９５をクリック機構９７の一構成部材として有効活用が図られることとなった。
【００２６】
尚、図４に示すように前記クリック機構９７を省略して、コイルバネ９５を、直接ドラグノブ５９の係止部７７側端部とリール本体２５との間に巻装してもよいし、斯かるコイルバネ９５に代え、図５に示すようにリール本体２５とドラグノブ５９の係止部７７側端部に、スプール軸４５を中心とするリング状のマグネット（付勢手段）１０７，１０９を対向配置し、両マグネット１０７，１０９の同極の磁力の反発力を利用して、ドラグノブ５９の係合部７７を抜止め部材７９の係止突部８１側に付勢させてもよい。
【００２７】
而して、これらの実施形態によっても、寸法誤差の影響を受けることなく、ドラグノブ５９をリール本体２５にガタ付きなく回転自在に支持することが可能で、不快感が解消できる利点を有する。
【００２８】
尚、既述した各実施形態は、本発明を魚釣用スピニングリールに適用したものであるが、本発明は、その他の魚釣用リールにも適用可能である。
【図面の簡単な説明】
【００２９】
【図１】請求項１及び請求項２の一実施形態に係る発明を適用した魚釣用スピニングリールの要部切欠き側面図である。
【図２】魚釣用スピニングリールの拡大断面図である。
【図３】魚釣用スピニングリールの要部拡大断面図である。
【図４】請求項１の第一実施形態に係る発明を適用した魚釣用スピニングリールの要部拡大断面図である。
【図５】請求項１の第二実施形態に係る発明を適用した魚釣用スピニングリールの要部拡大断面図である。
【図６】従来の魚釣用スピニングリールの要部斜視図である。
【符号の説明】
【００３０】
２１  フライヤ軸
２５  リール本体
２７  ロータ
４５  スプール軸
５３  トラバース機構
５５  スプール
５７  ドラグ装置
５９  ドラグノブ
６１  挿通孔
６３  筒状部
６７  支持部材
７７  係止部
７９  抜止め部材
８１  係止突部
８３  押圧体
９１  ワッシャ群
９３，９５  コイルバネ
９７  クリック機構
９９  クリック体
１０１  凹凸
１０３  発音体
１０５  魚釣用スピニングリール
１０７，１０９  マグネット
【図１】
2008295323.tif 000003
【図２】
2008295323.tif 000004
【図３】
2008295323.tif 000005
【図４】
2008295323.tif 000006
【図５】
2008295323.tif 000007
【図６】
2008295323.tif 000008